(57)【要約】【課題】  加工工程を複雑化させることなく、剰余名刺の再利用が可能な名刺及びその再利用方法を提供する。【解決手段】  透明なシート体３の裏面３ｂ側に透明な粘着層４を積層すると共に表面３ａ側に印刷５を施して成る透明印刷シート片１と、印刷可能な剥離面２ａを有すると共に剥離面２ａに透明印刷シート片１が貼着されたベース紙２と、を備える名刺から、該透明印刷シート片１を剥離し、ベース紙２の剥離面２ａに再印刷６を施し、再印刷６が施されたベース紙２を新たな名刺として利用する。【選択図】  図３
2005297494.tif 000002
【特許請求の範囲】
【請求項１】
透明なシート体（３）の裏面（３ｂ）側に透明な粘着層（４）を積層すると共に表面（３ａ）側に印刷（５）を施して成る透明印刷シート片（１）と、印刷可能な剥離面（２ａ）を有すると共に該剥離面（２ａ）に該透明印刷シート片（１）が貼着されるベース紙（２）と、を備えたことを特徴とする名刺。
【請求項２】
透明なシート体（３）の裏面（３ｂ）側に透明な粘着層（４）を積層すると共に表面（３ａ）側に印刷（５）を施して成る透明印刷シート片（１）と、印刷可能な剥離面（２ａ）を有すると共に該剥離面（２ａ）に該透明印刷シート片（１）が貼着されたベース紙（２）と、を備える名刺（Ｍ1 ）から、該透明印刷シート片（１）を剥離し、該ベース紙（２）の該剥離面（２ａ）に再印刷（６）を施し、該再印刷（６）が施された該ベース紙（２）を新たな名刺（Ｍ2 ）として利用することを特徴とする名刺の再利用方法。
【発明の詳細な説明】
【技術分野】
【０００１】
本発明は、名刺及びその再利用方法に関する。
【背景技術】
【０００２】
従来、ビジネスで使用される名刺は、営業先で数が不足して相手に渡せなくなるような事態を避けるため、予め大量に作成（例えば 100枚単位で作成）して保有数に余裕をもたせておくのが一般的である。これにより、役職や勤務地が変更になる等で名刺の印刷内容が変更される場合、数十枚の使用できない剰余名刺が生じるという問題点があった。従来では、この剰余名刺は廃棄処分となっており、その分の紙資源が有効利用されないという問題点があった。よって、剰余名刺の再利用を図ることにより、紙資源を有効利用することが可能となる。
【０００３】
ところで、従来、種々の紙資源の再利用方法が開示されている（例えば、特許文献１参照）。
特許文献１では、使用済の牛乳容器、紙コップ、紙皿等の紙容器を再利用してハガキや名刺等を作成する、紙容器の再利用方法が開示されている。具体的には、使用済の紙容器を平面状に開き、コーティングされている防水シートを剥ぎ取り、防水シートと防水シートが剥ぎ取られた紙との間に押し葉を配置して、再度、防水シートと防水シートが剥ぎ取られた紙とを一体化させると共に所定の形状に切断を行って、ハガキや名刺等を作成するものである。防水シートと防水シートが剥ぎ取られた紙との一体化は、アイロンあるいはラミネータ等で熱を加えることによって行われる。これにより、紙資源の有効利用を図っている。
【特許文献１】特開平１１−３３４３００号公報
【発明の開示】
【発明が解決しようとする課題】
【０００４】
しかしながら、上記特許文献１では、紙容器を平面状に開く工程、紙容器にコーティングされた防水シートを剥ぎ取る工程、防水シートと防水シートが剥ぎ取られた紙との間に押し葉を配置する工程、防水シートと防水シートが剥ぎ取られた紙とを一体化させる工程、紙容器を切断する切断工程等の多くの工程があり、紙容器の再利用に至るまでの加工工程が複雑なものになる。
そこで、本発明は、上記特許文献１のように加工工程を複雑化させることなく、剰余名刺の再利用が可能な名刺及びその再利用方法を提供することを目的とする。
【課題を解決するための手段】
【０００５】
上記の目的を達成するために、本発明に係る名刺は、透明なシート体の裏面側に透明な粘着層を積層すると共に表面側に印刷を施して成る透明印刷シート片と、印刷可能な剥離面を有すると共に該剥離面に該透明印刷シート片が貼着されるベース紙と、を備えたものである。
【０００６】
また、本発明に係る名刺の再利用方法は、透明なシート体の裏面側に透明な粘着層を積層すると共に表面側に印刷を施して成る透明印刷シート片と、印刷可能な剥離面を有すると共に該剥離面に該透明印刷シート片が貼着されたベース紙と、を備える名刺から、該透明印刷シート片を剥離し、該ベース紙の該剥離面に再印刷を施し、該再印刷が施された該ベース紙を新たな名刺として利用するものである。
【発明の効果】
【０００７】
本発明に係る名刺及びその再利用方法によれば、加工工程を複雑化させることなく、従来廃棄処分となっていた剰余名刺を有効利用することができる。
また、美感及び耐久性に優れた名刺とすることができる。
【発明を実施するための最良の形態】
【０００８】
以下、実施の形態を示す図面に基づき、本発明を詳説する。
図１及び図５は、本発明の実施の一形態を示す名刺を説明するための斜視図である。
図２、図３及び図４は、本発明の実施の一形態を示す名刺を説明するための要部拡大断面側面図である。
本発明に係る名刺Ｍ1 は、図１及び図２に示すように、矩形状の透明印刷シート片１と矩形状のベース紙２とを有する。                                                    透明印刷シート片１は、ベース紙２の全面を覆っている。この透明印刷シート片１は、透明なシート体３の裏面３ｂ側に透明な粘着層４を積層すると共に表面３ａ側に名前、役職、勤務地等の印刷５を施すことにより成っている。
【０００９】
透明なシート体３は、例えばポリカーボネート製のフィルムから成っている。
透明な粘着層４は、例えば、プロポリス・クエン酸粘着剤、又は、ウレタン系粘着剤から成る。なお、上記プロポリス・クエン酸粘着剤は、抗菌と消毒の作用もあり、かつ、粘着力も大きいという利点がある。
印刷５は、例えばオフセット印刷にて名前、役職、勤務地等が記載されたものである。また、この印刷５には、名前、役職、勤務地等に加えて、透明印刷シート片１の左上隅部の三角形状領域１ａに印刷されたストライプ状の模様が含まれている。このストライプ状の模様により、透明印刷シート片１がベース紙２に貼着されているということが一目で判断可能となる（即ち、後述する名刺の再利用方法により再利用を行った名刺と再利用を行う前の名刺との判別が容易である）。また、三角形状領域１ａには粘着層４が積層されないように透明印刷シート片１を形成することによって、透明印刷シート片１をベース紙２から剥がす際、ストライプ状の模様を目安として、より容易に剥がすことができる。
ベース紙２は、所定の厚みの紙であり、印刷可能な剥離面２ａを有している。この剥離面２ａに、透明印刷シート片１が貼着される。剥離面２ａは、透明印刷シート片１の粘着層４が比較的容易に剥離可能となるように表面処理が施された面であるが、さらに、その後に印刷も可能な面となっている。
【００１０】
なお、透明印刷シート片１は、矩形状のベース紙２の全面を覆うものに限るものでなく、ベース紙２のうち、一部の領域のみを覆うものとするも自由である。また、透明印刷シート片１及びベース紙２は矩形状に形成したものに限るものでなく、他の形状に形成するも自由である。例えば、平行四辺形状とするも好ましい。また、デザイン上の都合により、透明印刷シート片１及び／又はベース紙２に所定形状の切欠部を設けるも自由である。  また、シート体３は、ポリカーボネート製のフィルムに限るのではなく、他の材質により形成するも自由である。例えばＰＥＴにて形成されるも好ましい。
また、粘着層４は、ウレタン系粘着剤等以外であってもよい。
また、印刷５は、オフセット印刷に限るのではなく、他の印刷方法であってもよい。また、印刷５は、名前、役職及び勤務地に、似顔絵やマーク等の挿絵を加えたものとするも自由である。  
【００１１】
図６は、本発明に係る名刺の再利用方法を示すフローチャート図である。
上記した構成の本発明に係る名刺Ｍ1 は、通常時、従来の名刺と同様に使用される。しかしながら、役職や勤務地が変更になる等で名刺の印刷内容の変更が必要となって、使用できない剰余名刺（Ｍ1 ）が生じた場合、本発明に係る名刺は、以下に述べるようにして再利用を行う。
まず、図１、図３及び図６に示すように、三角形状領域１ａをつまんで、名刺Ｍ1 から印刷５が施された印刷シート片１を剥がす（過程１：図６の符号11）。この際、印刷シート片１は、印刷シート片１の粘着層４が剥離面２ａ上に残ることなく綺麗に剥がされる。次に、図４及び図６に示すように、印刷シート片１が剥がされたベース紙２の剥離面２ａに、新たな印刷内容にて再印刷６を施す（過程２：図６の符号12）。そして、図５に示すように、再印刷６が施されたベース紙２を新たな名刺Ｍ2 として再利用する。
【００１２】
以上のように、本発明に係る名刺は、透明なシート体３の裏面３ｂ側に透明な粘着層４を積層すると共に表面３ａ側に印刷５を施して成る透明印刷シート片１と、印刷可能な剥離面２ａを有すると共に剥離面２ａに透明印刷シート片１が貼着されるベース紙２と、を備えるので、印刷５が施された透明印刷シート片１をベース紙２から剥がすことにより、ベース紙２を印刷の施されていない名刺用の紙として再利用することができる。これにより、同じベース紙２を２度利用することができる。その結果、従来廃棄処分となっていた剰余名刺を有効利用することができる。
【００１３】
また、透明印刷シート片１を形成するシート体３及び粘着層４を、透明にすることによって、透明印刷シート片１がベース紙２に貼着されている状態に於て、ベース紙２の色を透過させると共にベース紙２の色に光沢を加えることができる。その結果、美感に優れた名刺とすることができる。
また、透明印刷シート片１を、ベース紙２に貼着することによって、透明印刷シート片１がベース紙２の保護膜の機能を有するように構成することができる。これにより、耐久性に優れた名刺とすることができる。
【００１４】
また、本発明に係る名刺の再利用方法は、透明なシート体３の裏面３ｂ側に透明な粘着層４を積層すると共に表面３ａ側に印刷５を施して成る透明印刷シート片１と、印刷可能な剥離面２ａを有すると共に剥離面２ａに透明印刷シート片１が貼着されたベース紙２と、を備える名刺Ｍ1 から、透明印刷シート片１を剥離し、ベース紙２の剥離面２ａに再印刷６を施し、再印刷６が施されたベース紙２を新たな名刺Ｍ2 として利用することによって、加工工程を複雑化させることなく、従来廃棄処分となっていた剰余名刺Ｍ1 を新たな名刺Ｍ2 として有効利用することができる。
【図面の簡単な説明】
【００１５】
【図１】本発明の一実施形態を示す名刺の斜視図である。
【図２】本発明の一実施形態を示す名刺の要部拡大断面側面図である。
【図３】透明印刷シート片を剥がした状態を示す要部拡大断面側面図である。
【図４】ベース紙に再印刷を施した状態を示す要部拡大断面側面図である。
【図５】ベース紙に再印刷を施した名刺の斜視図である。
【図６】本発明に係る名刺の再利用方法を示すフローチャート図である。
【符号の説明】
【００１６】
１  透明印刷シート片
２  ベース紙
２ａ  剥離面
３  シート体
３ａ  表面
３ｂ  裏面  
４  粘着層
５  印刷
６  再印刷
Ｍ1 ，Ｍ2   名刺
【図１】
2005297494.tif 000003
【図２】
2005297494.tif 000004
【図３】
2005297494.tif 000005
【図４】
2005297494.tif 000006
【図５】
2005297494.tif 000007
【図６】
2005297494.tif 000008